(57)【特許請求の範囲】
【請求項１】
コンテンツ処理手段と、コンテンツ蓄積手段と、コンテンツ配信手段と、ユーザ端末装置と、ユーザ情報管理手段とを有し、前記コンテンツ処理手段と前記コンテンツ蓄積手段と前記コンテンツ配信手段と前記ユーザ情報管理手段とは、サーバによって構成され、前記ユーザ端末装置は、コンピュータによって構成され、前記サーバと前記コンピュータは、プログラムに従って動作するウエブサイト誘導システムであって、
前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、
前記コンテンツ蓄積手段は、前記配信用暗号化デジタルコンテンツを蓄積する手段を備え、
前記コンテンツ配信手段は、ユーザ端末装置から配信要求があったときに、この要求に該当する前記配信用暗号化デジタルコンテンツを、前記コンテンツ蓄積手段から受け取って前記ユーザ端末装置にネットワークを介して配信する手段を備え、
前記ユーザ端末装置は、前記コンテンツ配信手段から受信した前記配信用暗号化デジタルコンテンツを蓄積する手段と、この配信用暗号化デジタルコンテンツの再生をユーザから要求されたとき、この配信用暗号化デジタルコンテンツの復号に必要な復号化キーがない場合は、前記アクセス先指定情報を基にネットワークを介して前記ウエブサイトへアクセスする手段と、このアクセスの後に前記復号化キーを受信した場合は、受信した復号化キーを自装置の端末情報を用いて復号して鍵を取得し、この鍵を用いて前記配信用暗号化デジタルコンテンツを復号して再生する手段とを備え、
前記ユーザ情報管理手段は、前記ユーザ端末装置に固有の端末情報をあらかじめ蓄積する手段と、前記ユーザ端末装置から前記ウエブサイトへのアクセス時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記蓄積された端末情報を基に暗号用の鍵を暗号化して前記復号化キーを生成する手段と、この復号化キーをネットワークを介して前記ユーザ端末装置へ送信する手段とを備えることを特徴とするウエブサイト誘導システム。
【請求項２】
コンテンツ処理手段と、ユーザ端末装置と、ユーザ情報管理手段とを有し、前記コンテンツ処理手段と前記ユーザ情報管理手段とは、サーバによって構成され、前記ユーザ端末装置は、コンピュータによって構成され、前記サーバと前記コンピュータは、プログラムに従って動作するウエブサイト誘導システムであって、
前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、
前記ユーザ端末装置は、記録媒体に記録されて配布された前記配信用暗号化デジタルコンテンツの再生をユーザから要求されたとき、この配信用暗号化デジタルコンテンツの復号に必要な復号化キーがない場合は、前記アクセス先指定情報を基にネットワークを介して前記ウエブサイトへアクセスする手段と、このアクセスの後に前記復号化キーを受信した場合は、受信した復号化キーを自装置の端末情報を用いて復号して鍵を取得し、この鍵を用いて前記配信用暗号化デジタルコンテンツを復号して再生する手段とを備え、
前記ユーザ情報管理手段は、前記ユーザ端末装置に固有の端末情報をあらかじめ蓄積する手段と、前記ユーザ端末装置から前記ウエブサイトへのアクセス時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記蓄積された端末情報を基に暗号用の鍵を暗号化して前記復号化キーを生成する手段と、この復号化キーをネットワークを介して前記ユーザ端末装置へ送信する手段とを備えることを特徴とするウエブサイト誘導システム。
【請求項３】
コンテンツ処理手段と、コンテンツ蓄積手段と、コンテンツ配信手段と、ユーザ情報管理手段とを有し、前記コンテンツ処理手段と前記コンテンツ蓄積手段と前記コンテンツ配信手段と前記ユーザ情報管理手段とは、サーバによって構成され、前記サーバは、プログラムに従って動作するウエブサイト誘導装置であって、
前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、
前記コンテンツ蓄積手段は、前記配信用暗号化デジタルコンテンツを蓄積する手段を備え、
前記コンテンツ配信手段は、ユーザ端末装置から配信要求があったときに、この要求に該当する前記配信用暗号化デジタルコンテンツを、前記コンテンツ蓄積手段から受け取って前記ユーザ端末装置にネットワークを介して配信する手段を備え、
前記ユーザ情報管理手段は、前記ユーザ端末装置に固有の端末情報をあらかじめ蓄積する手段と、前記配信用暗号化デジタルコンテンツの再生を希望するユーザの要求に応じて前記ユーザ端末装置から前記ウエブサイトへのアクセスがあった時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記ユーザ端末装置において前記配信用暗号化デジタルコンテンツを復号して再生するための復号化キーを、前記蓄積された端末情報を基に暗号用の鍵を暗号化して生成する手段と、この復号化キーをネットワークを介して前記ユーザ端末装置へ送信する手段とを備えることを特徴とするウエブサイト誘導装置。
【請求項４】
コンテンツ処理手段と、ユーザ情報管理手段とを有し、前記コンテンツ処理手段と前記ユーザ情報管理手段とは、サーバによって構成され、前記サーバは、プログラムに従って動作するウエブサイト誘導装置であって、
前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、
前記ユーザ情報管理手段は、前記ユーザ端末装置に固有の端末情報をあらかじめ蓄積する手段と、記録媒体に記録されて配布された前記配信用暗号化デジタルコンテンツの再生を希望するユーザの要求に応じて前記ユーザ端末装置から前記ウエブサイトへアクセスがあった時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記ユーザ端末装置において前記配信用暗号化デジタルコンテンツを復号して再生するための復号化キーを、前記蓄積された端末情報を基に暗号用の鍵を暗号化して生成する手段と、この復号化キーをネットワークを介して前記ユーザ端末装置へ送信する手段とを備えることを特徴とするウエブサイト誘導装置。
【請求項５】
請求項１又は２記載のウエブサイト誘導システムにおいて、
ウエブサイトを指定する誘導先指定情報とユーザの属性とを対応付けして予め記憶する手段と、ユーザからのアクセスに応じてこのユーザの属性に対応する誘導先指定情報を予め記憶された前記誘導先指定情報の中から選定する手段とを備えた選定手段を有し、
前記コンテンツ処理手段の前記配信用暗号化デジタルコンテンツを生成する手段は、暗号化したデジタルコンテンツに前記選定手段を指定するアクセス先指定情報を付加して前記配信用暗号化デジタルコンテンツを生成し、
前記ユーザ端末装置の前記ウエブサイトへアクセスする手段は、前記配信用暗号化デジタルコンテンツの再生をユーザから要求されたとき、この配信用暗号化デジタルコンテンツの復号に必要な復号化キーがない場合は、前記アクセス先指定情報を基にネットワークを介して前記選定手段へアクセスし、前記選定手段によって選定された誘導先指定情報を基にネットワークを介してウエブサイトへアクセスすることを特徴とするウエブサイト誘導システム。
【請求項６】
請求項１又は２記載のウエブサイト誘導システムにおいて、
前記ユーザ情報管理手段は、前記提供されたデジタルコンテンツの有効期限を前記復号化キーに設定する手段を備え、
前記ユーザ端末装置は、前記復号化キーの有効期限内であれば、ユーザからの再生要求に応じて前記配信用暗号化デジタルコンテンツを復号して再生し、前記復号化キーの有効期限が切れている場合には、再生を拒否する手段を備えることを特徴とするウエブサイト誘導システム。
【請求項７】
請求項１又は２記載のウエブサイト誘導システムにおいて、
前記ユーザ情報管理手段は、前記提供されたデジタルコンテンツの有効期限を前記復号化キーに設定する手段を備え、
前記ユーザ端末装置は、前記復号化キーの有効期限内であれば、ユーザからの再生要求に応じて前記配信用暗号化デジタルコンテンツを復号して再生し、前記復号化キーの有効期限が切れている場合には、前記配信用暗号化デジタルコンテンツの再生中止あるいは前記復号化キーの再取得をユーザに選択させる画面を表示することにより、前記アクセスの再実行をユーザに促す手段を備えることを特徴とするウエブサイト誘導システム。
【請求項８】
請求項３又は４記載のウエブサイト誘導装置において、
ウエブサイトを指定する誘導先指定情報とユーザの属性とを対応付けして予め記憶する手段と、ユーザからのアクセスに応じてこのユーザの属性に対応する誘導先指定情報を予め記憶された前記誘導先指定情報の中から選定する手段とを備えた選定手段を有し、
前記コンテンツ処理手段の前記配信用暗号化デジタルコンテンツを生成する手段は、暗号化したデジタルコンテンツに前記選定手段を指定するアクセス先指定情報を付加して前記配信用暗号化デジタルコンテンツを生成することを特徴とするウエブサイト誘導装置。
【請求項９】
請求項３又は４記載のウエブサイト誘導装置において、
前記ユーザ情報管理手段は、前記提供されたデジタルコンテンツの有効期限を前記復号化キーに設定する手段を備えることを特徴とするウエブサイト誘導装置。
【請求項１０】
請求項３又は４記載のウエブサイト誘導装置において、
前記コンテンツ処理手段は、スポンサーが指定したデジタルコンテンツの属性と前記提供されたデジタルコンテンツの属性とを比較して、属性が一致するコンテンツを前記提供されたデジタルコンテンツの中から選択し、選択したデジタルコンテンツと前記アクセス先指定情報とから前記配信用暗号化デジタルコンテンツを生成する手段を備えることを特徴とするウエブサイト誘導装置。
【請求項１１】
請求項３又は４記載のウエブサイト誘導装置において、
前記コンテンツ処理手段は、前記提供されたデジタルコンテンツを基にプレビュー用デジタルコンテンツを生成する手段と、このプレビュー用デジタルコンテンツを前記ネットワークを介してスポンサーの端末装置へ送信する手段とを備え、
前記コンテンツ処理手段の前記配信用暗号化デジタルコンテンツを生成する手段は、前記プレビュー用デジタルコンテンツを視聴したスポンサーによって選択された前記提供されたデジタルコンテンツと前記アクセス先指定情報とから前記配信用暗号化デジタルコンテンツを生成することを特徴とするウエブサイト誘導装置。
【請求項１２】
請求項３又は４記載のウエブサイト誘導装置において、
前記コンテンツ処理手段は、コンテンツ提供者によってデジタルコンテンツ毎に指定された、スポンサーを承認可能か否かを判断するための承認判断基準を蓄積する手段と、前記承認判断基準に合致しないスポンサーのウエブサイトを、前記所定のウエブサイトの指定から除くことにより、前記承認判断基準に合致しないスポンサーによるデジタルコンテンツの後援を拒否する手段とを備えることを特徴とするウエブサイト誘導装置。
【請求項１３】
請求項８記載のウエブサイト誘導装置において、
前記配信用暗号化デジタルコンテンツの生成以前に、コンテンツの後援権に対する入札情報をスポンサーから受け付ける手段と、前記入札情報を基に前記後援権を付与するスポンサーを決定する手段とを備えたスポンサー決定手段を有し、
前記コンテンツ処理手段のデジタルコンテンツを暗号化する手段は、前記スポンサー決定手段によってスポンサーが決定されたデジタルコンテンツを暗号化することを特徴とするウエブサイト誘導装置。
【請求項１４】
請求項１３記載のウエブサイト誘導装置において、
前記選定手段の前記誘導先指定情報を選定する手段は、１つの前記配信用暗号化デジタルコンテンツについて前記後援権が付与されたスポンサーが複数存在する場合、各スポンサーを選定する割合を各スポンサーが提示した前記入札情報に応じて決定し、選定したスポンサーによって予め設定された前記誘導先情報の中からアクセス元のユーザの属性に対応する誘導先指定情報を選定することを特徴とするウエブサイト誘導装置。
【請求項１５】
請求項１３記載のウエブサイト誘導装置において、
前記スポンサー決定手段は、ユーザを前記ウエブサイトへ誘導する代価としてスポンサーが支払う金額の累積が前記入札情報で設定された総予算に達したとき、このスポンサーへの後援権付与を解除して、前記スポンサー決定の処理を再実行する手段を備えることを特徴とするウエブサイト誘導装置。
【請求項１６】
請求項３又は４記載のウエブサイト誘導装置において、
前記コンテンツ処理手段の前記デジタルコンテンツを暗号化する手段は、前記提供されたデジタルコンテンツの先頭から所定部までのデータを暗号化せずに、残りのデータを暗号化し、
前記コンテンツ処理手段の前記配信用暗号化デジタルコンテンツを生成する手段は、前記先頭から所定部までのデータと前記暗号化したデータとの間に前記アクセス先指定情報を付加したデータを前記配信用暗号化デジタルコンテンツとすることを特徴とするウエブサイト誘導装置。
【請求項１７】
請求項３又は４記載のウエブサイト誘導装置において、
アンケートの回答を、前記ウエブサイトに予め設定されている条件とすることを特徴とするウエブサイト誘導装置。
【発明の詳細な説明】
【０００１】
【発明の属する技術分野】
本発明は、例えば音楽コンテンツや映像コンテンツ等のデジタルコンテンツの視聴を希望するユーザを所定のウエブ（Ｗｅｂ）サイトへ誘導するようにしたウエブサイト誘導システム及びウエブサイト誘導装置に関するものである。
【０００２】
【従来の技術】
現在、インターネットにおいて、企業が製品の宣伝やユーザ情報の収集（アンケート）などを行いたい場合、Ｗｅｂページに表示するバナー広告やメール広告を用いるのが一般的である。図２０は従来のバナー広告タイプのシステムの構成を示す図である。
【０００３】
従来のシステムでは、スポンサー２１は、アクセスカウント数などから比較的ユーザ２２に人気の高いと推測される不特定多数のＷｅｂサイト２３に、バナー広告と呼ばれる１１１×３０〜４６８×６０ピクセル程度の広告画像を、インターネット広告代理店２４を通じて貼り付ける。ユーザ２２は、インターネット２５を通じてＷｅｂサイト２３にアクセスする。このとき、ユーザ２２が端末装置の画面に表示されたいるＷｅｂページの広告画像領域をクリックすれば、この広告画像領域にリンクしているスポンサーのＷｅｂサイトへジャンプしてＷｅｂサイトのページを表示する。これにより、ユーザ２２をスポンサーのＷｅｂサイトへ誘導することができる。
【０００４】
【発明が解決しようとする課題】
しかしながら、各調査機関の統計では、バナー広告やメール広告のクリックスルー率（バナー広告を実際にクリックして目的のサイトまでユーザがアクセスする割合）と費用対効果は年々低下傾向にあり、ユーザをスポンサーのＷｅｂサイトへ確実に誘導し、目的とする操作を実行させる新たな手法の登場が望まれている。
【０００５】
すなわち、従来のシステムでは、ユーザが無数にあるＷｅｂサイトの中から、広告画像の貼り付けられているＷｅｂサイトにアクセスしなければ、システム自体が機能しないという問題点があった。
また、仮に、ユーザが広告画像の貼り付けられているＷｅｂサイトにアクセスしたとしても、広告画像領域を自発的にクリックしない限り、スポンサーのＷｅｂサイトへユーザを誘導することができないため、スポンサーのＷｅｂサイトへのアクセスを保証できないという問題点があった。
【０００６】
また、従来のシステムでは、ユーザがＷｅｂページの広告画像領域をクリックしたときに、スポンサーのＷｅｂサイトへユーザを誘導する部分までしかカバーしていないため、ユーザをスポンサーのＷｅｂサイトへ誘導することができたとしても、スポンサーの求める特定の条件（例えばアンケートの回答など）をユーザが満たすかどうかについては保証できないという問題点があった。
さらに、スポンサーは、自身の広告画像が貼り付けられるＷｅｂサイトをあらかじめ確認することができないため、全く関係のないＷｅｂサイトに広告を出され、ターゲットとしないユーザに対して無意味な広告活動を行ってしまうことが多いという問題点があった。なお、以上の問題は、スポンサーのＷｅｂサイトに限らず、例えばコンテンツ提供者のＷｅｂサイトへユーザを誘導し、このＷｅｂサイトでコンテンツ提供者が広告活動を行いたい場合にも発生する。
【０００７】
本発明は、上記課題を解決するためになされたもので、ユーザを所定のウエブサイトへ確実に誘導することができ、かつ広告の費用対効果を確実に得ることができるウエブサイト誘導システム及びウエブサイト誘導装置を提供することを目的とする。
【０００８】
【課題を解決するための手段】
本発明は、コンテンツ処理手段と、コンテンツ蓄積手段と、コンテンツ配信手段と、ユーザ端末装置と、ユーザ情報管理手段とを有し、前記コンテンツ処理手段と前記コンテンツ蓄積手段と前記コンテンツ配信手段と前記ユーザ情報管理手段とは、サーバによって構成され、前記ユーザ端末装置は、コンピュータによって構成され、前記サーバと前記コンピュータは、プログラムに従って動作するウエブサイト誘導システムであって、前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、前記コンテンツ蓄積手段は、前記配信用暗号化デジタルコンテンツを蓄積する手段を備え、前記コンテンツ配信手段は、ユーザ端末装置から配信要求があったときに、この要求に該当する前記配信用暗号化デジタルコンテンツを、前記コンテンツ蓄積手段から受け取って前記ユーザ端末装置にネットワークを介して配信する手段を備え、前記ユーザ端末装置は、前記コンテンツ配信手段から受信した前記配信用暗号化デジタルコンテンツを蓄積する手段と、この配信用暗号化デジタルコンテンツの再生をユーザから要求されたとき、この配信用暗号化デジタルコンテンツの復号に必要な復号化キーがない場合は、前記アクセス先指定情報を基にネットワークを介して前記ウエブサイトへアクセスする手段と、このアクセスの後に前記復号化キーを受信した場合は、受信した復号化キーを自装置の端末情報を用いて復号して鍵を取得し、この鍵を用いて前記配信用暗号化デジタルコンテンツを復号して再生する手段とを備え、前記ユーザ情報管理手段は、前記ユーザ端末装置に固有の端末情報をあらかじめ蓄積する手段と、前記ユーザ端末装置から前記ウエブサイトへのアクセス時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記蓄積された端末情報を基に暗号用の鍵を暗号化して前記復号化キーを生成する手段と、この復号化キーをネットワークを介して前記ユーザ端末装置へ送信する手段とを備えるものである。
また、本発明は、コンテンツ処理手段と、ユーザ端末装置と、ユーザ情報管理手段とを有し、前記コンテンツ処理手段と前記ユーザ情報管理手段とは、サーバによって構成され、前記ユーザ端末装置は、コンピュータによって構成され、前記サーバと前記コンピュータは、プログラムに従って動作するウエブサイト誘導システムであって、前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、前記ユーザ端末装置は、記録媒体に記録されて配布された前記配信用暗号化デジタルコンテンツの再生をユーザから要求されたとき、この配信用暗号化デジタルコンテンツの復号に必要な復号化キーがない場合は、前記アクセス先指定情報を基にネットワークを介して前記ウエブサイトへアクセスする手段と、このアクセスの後に前記復号化キーを受信した場合は、受信した復号化キーを自装置の端末情報を用いて復号して鍵を取得し、この鍵を用いて前記配信用暗号化デジタルコンテンツを復号して再生する手段とを備え、前記ユーザ情報管理手段は、前記ユーザ端末装置に固有の端末情報をあらかじめ蓄積する手段と、前記ユーザ端末装置から前記ウエブサイトへのアクセス時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記蓄積された端末情報を基に暗号用の鍵を暗号化して前記復号化キーを生成する手段と、この復号化キーをネットワークを介して前記ユーザ端末装置へ送信する手段とを備えるものである。
【０００９】
また、本発明は、コンテンツ処理手段と、コンテンツ蓄積手段と、コンテンツ配信手段と、ユーザ情報管理手段とを有し、前記コンテンツ処理手段と前記コンテンツ蓄積手段と前記コンテンツ配信手段と前記ユーザ情報管理手段とは、サーバによって構成され、前記サーバは、プログラムに従って動作するウエブサイト誘導装置であって、前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、前記コンテンツ蓄積手段は、前記配信用暗号化デジタルコンテンツを蓄積する手段を備え、前記コンテンツ配信手段は、ユーザ端末装置から配信要求があったときに、この要求に該当する前記配信用暗号化デジタルコンテンツを、前記コンテンツ蓄積手段から受け取って前記ユーザ端末装置にネットワークを介して配信する手段を備え、前記ユーザ情報管理手段は、前記ユーザ端末装置に固有の端末情報をあらかじめ蓄積する手段と、前記配信用暗号化デジタルコンテンツの再生を希望するユーザの要求に応じて前記ユーザ端末装置から前記ウエブサイトへのアクセスがあった時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記ユーザ端末装置において前記配信用暗号化デジタルコンテンツを復号して再生するための復号化キーを、前記蓄積された端末情報を基に暗号用の鍵を暗号化して生成する手段と、この復号化キーをネットワークを介して前記ユーザ端末装置へ送信する手段とを備えるものである。
また、本発明は、コンテンツ処理手段と、ユーザ情報管理手段とを有し、前記コンテンツ処理手段と前記ユーザ情報管理手段とは、サーバによって構成され、前記サーバは、プログラムに従って動作するウエブサイト誘導装置であって、前記コンテンツ処理手段は、コンテンツ提供者から提供されたデジタルコンテンツを暗号化する手段と、暗号化したデジタルコンテンツにスポンサーサイトサーバに格納されたスポンサーのウエブサイトを指定するアクセス先指定情報を付加して配信用暗号化デジタルコンテンツを生成する手段とを備え、前記ユーザ情報管理手段は、前記ユーザ端末装置に固有の端末情報をあらかじめ蓄積する手段と、記録媒体に記録されて配布された前記配信用暗号化デジタルコンテンツの再生を希望するユーザの要求に応じて前記ユーザ端末装置から前記ウエブサイトへアクセスがあった時に、前記ユーザ端末装置のユーザが前記ウエブサイトに予め設定されている条件に応じて前記ユーザ端末装置を操作して前記条件を満たしたことにより前記ウエブサイトからユーザが前記条件を満たしたことを示す通知を受けた場合は、前記ユーザ端末装置において前記配信用暗号化デジタルコンテンツを復号して再生するための復号化キーを、前記蓄積された端末情報を基に暗号用の鍵を暗号化して生成する手段と、この復号化キーをネットワークを介して前記ユーザ端末装置へ送信する手段とを備えるものである。
【００１０】
また、本発明のウエブサイト誘導システムの１構成例は、ウエブサイトを指定する誘導先指定情報とユーザの属性とを対応付けして予め記憶する手段と、ユーザからのアクセスに応じてこのユーザの属性に対応する誘導先指定情報を予め記憶された前記誘導先指定情報の中から選定する手段とを備えた選定手段を有し、前記コンテンツ処理手段の前記配信用暗号化デジタルコンテンツを生成する手段は、暗号化したデジタルコンテンツに前記選定手段を指定するアクセス先指定情報を付加して前記配信用暗号化デジタルコンテンツを生成し、前記ユーザ端末装置の前記ウエブサイトへアクセスする手段は、前記配信用暗号化デジタルコンテンツの再生をユーザから要求されたとき、この配信用暗号化デジタルコンテンツの復号に必要な復号化キーがない場合は、前記アクセス先指定情報を基にネットワークを介して前記選定手段へアクセスし、前記選定手段によって選定された誘導先指定情報を基にネットワークを介してウエブサイトへアクセスするものである。
また、本発明のウエブサイト誘導システムの１構成例において、前記ユーザ情報管理手段は、前記提供されたデジタルコンテンツの有効期限を前記復号化キーに設定する手段を備え、前記ユーザ端末装置は、前記復号化キーの有効期限内であれば、ユーザからの再生要求に応じて前記配信用暗号化デジタルコンテンツを復号して再生し、前記復号化キーの有効期限が切れている場合には、再生を拒否する手段を備えるものである。
また、本発明のウエブサイト誘導システムの１構成例において、前記ユーザ情報管理手段は、前記提供されたデジタルコンテンツの有効期限を前記復号化キーに設定する手段を備え、前記ユーザ端末装置は、前記復号化キーの有効期限内であれば、ユーザからの再生要求に応じて前記配信用暗号化デジタルコンテンツを復号して再生し、前記復号化キーの有効期限が切れている場合には、前記配信用暗号化デジタルコンテンツの再生中止あるいは前記復号化キーの再取得をユーザに選択させる画面を表示することにより、前記アクセスの再実行をユーザに促す手段を備えるものである。
また、本発明のウエブサイト誘導装置の１構成例において、前記コンテンツ処理手段は、スポンサーが指定したデジタルコンテンツの属性と前記提供されたデジタルコンテンツの属性とを比較して、属性が一致するコンテンツを前記提供されたデジタルコンテンツの中から選択し、選択したデジタルコンテンツと前記アクセス先指定情報とから前記配信用暗号化デジタルコンテンツを生成する手段を備えるものである。
また、本発明のウエブサイト誘導装置の１構成例において、前記コンテンツ処理手段は、前記提供されたデジタルコンテンツを基にプレビュー用デジタルコンテンツを生成する手段と、このプレビュー用デジタルコンテンツを前記ネットワークを介してスポンサーの端末装置へ送信する手段とを備え、前記コンテンツ処理手段の前記配信用暗号化デジタルコンテンツを生成する手段は、前記プレビュー用デジタルコンテンツを視聴したスポンサーによって選択された前記提供されたデジタルコンテンツと前記アクセス先指定情報とから前記配信用暗号化デジタルコンテンツを生成するものである。
【００１１】
また、本発明のウエブサイト誘導装置の１構成例において、前記コンテンツ処理手段は、コンテンツ提供者によってデジタルコンテンツ毎に指定された、スポンサーを承認可能か否かを判断するための承認判断基準を蓄積する手段と、前記承認判断基準に合致しないスポンサーのウエブサイトを、前記所定のウエブサイトの指定から除くことにより、前記承認判断基準に合致しないスポンサーによるデジタルコンテンツの後援を拒否する手段とを備えるものである。
また、本発明のウエブサイト誘導装置の１構成例において、前記配信用暗号化デジタルコンテンツの生成以前に、コンテンツの後援権に対する入札情報をスポンサーから受け付ける手段と、前記入札情報を基に前記後援権を付与するスポンサーを決定する手段とを備えたスポンサー決定手段を有し、前記コンテンツ処理手段のデジタルコンテンツを暗号化する手段は、前記スポンサー決定手段によってスポンサーが決定されたデジタルコンテンツを暗号化するものである。
また、本発明のウエブサイト誘導装置の１構成例において、前記選定手段の前記誘導先指定情報を選定する手段は、１つの前記配信用暗号化デジタルコンテンツについて前記後援権が付与されたスポンサーが複数存在する場合、各スポンサーを選定する割合を各スポンサーが提示した前記入札情報に応じて決定し、選定したスポンサーによって予め設定された前記誘導先情報の中からアクセス元のユーザの属性に対応する誘導先指定情報を選定するものである。
また、本発明のウエブサイト誘導装置の１構成例において、前記スポンサー決定手段は、ユーザを前記ウエブサイトへ誘導する代価としてスポンサーが支払う金額の累積が前記入札情報で設定された総予算に達したとき、このスポンサーへの後援権付与を解除して、前記スポンサー決定の処理を再実行する手段を備えるものである。
また、本発明のウエブサイト誘導装置の１構成例において、前記コンテンツ処理手段の前記デジタルコンテンツを暗号化する手段は、前記提供されたデジタルコンテンツの先頭から所定部までのデータを暗号化せずに、残りのデータを暗号化し、前記コンテンツ処理手段の前記配信用暗号化デジタルコンテンツを生成する手段は、前記先頭から所定部までのデータと前記暗号化したデータとの間に前記アクセス先指定情報を付加したデータを前記配信用暗号化デジタルコンテンツとするものである。
また、本発明のウエブサイト誘導装置の１構成例は、アンケートの回答を、前記ウエブサイトに予め設定されている条件とするものである。
【００１６】
【発明の実施の形態】
本発明の第１の実施の形態は、コンテンツ提供者がインターネット等のネットワークを介して音楽コンテンツや映像コンテンツやソフトウェア等のバイナリデータのデジタルコンテンツを提供し、提供されたデジタルコンテンツからスポンサーが後援するコンテンツをシステムの運営者に委託した自動選択あるいはスポンサー自らによる手動選択で選択して、この選択されたコンテンツを運営者が暗号化してネットワーク上で公開することにより、不特定多数のユーザに暗号化されたデジタルコンテンツを配布する。そして、デジタルコンテンツの配布を受けたユーザを特定のＷｅｂサイト（スポンサーの広告サイト）に誘導して、このＷｅｂサイトにおいてユーザが特定の条件を満たせば、配布したデジタルコンテンツの視聴を許可するものである。また、スポンサーは、誘導先のＷｅｂサイトで収集されたデータをネットワーク経由で運営者から取得することもできる。
【００１７】
このため、本発明の第１の実施の形態では、デジタルコンテンツを暗号化する際に、誘導先のＷｅｂサイトの情報であるＵＲＬ（Uniform Resource Locator）をアクセス先指定情報としてデジタルコンテンツに付加する。ユーザがデジタルコンテンツを再生しようとするとき、コンテンツの復号に必要な復号化キーがない場合には、デジタルコンテンツに付加されたＵＲＬを基にスポンサーのＷｅｂサイトへアクセスさせ、このＷｅｂサイトにおいてユーザが特定の条件を満たせば、運営者からユーザへ復号化キーを提供するようにしている。ユーザは、復号化キーに設定された有効期限内ならばオフラインで自由にコンテンツの視聴が可能となる。
【００１８】
以下、本発明の実施の形態について図面を参照して詳細に説明する。図１は、本発明の第１の実施の形態となるウエブサイト誘導システムの構成を示すブロック図である。本実施の形態のウエブサイト誘導システムは、システムの運営者が運営し、コンテンツ提供者から提供されたデジタルコンテンツを登録すると共に、暗号化したデジタルコンテンツの配信及び復号化キーの配信を行うウエブサイト誘導装置１と、コンテンツ提供者が運営するコンテンツ提供サーバ２と、ユーザが所有するユーザ端末装置３と、スポンサーが運営し、スポンサーのＷｅｂサイトの格納場所となるスポンサーサイトサーバ４と、ウエブサイト誘導装置１とコンテンツ提供サーバ２とユーザ端末装置３とスポンサーサイトサーバ４とを相互に接続するインターネット等のネットワーク５とを有している。
【００１９】
ウエブサイト誘導装置１は、コンテンツ蓄積サーバ１１と、コンテンツ処理サーバ１２と、コンテンツ配信サーバ１３と、ユーザ情報管理サーバ１４とから構成される。
コンテンツ蓄積サーバ１１は、ユーザ端末装置３に配信する、音楽コンテンツや映像コンテンツやソフトウェア等のバイナリデータの配信用デジタルコンテンツと、スポンサーがユーザに代わって代金を負担する配信用デジタルコンテンツを選択するためのプレビュー用デジタルコンテンツとを蓄積している。
【００２０】
コンテンツ処理サーバ１２は、コンテンツ提供サーバ２にネットワーク５経由でデジタルコンテンツのアップロード環境を提供し、コンテンツ提供サーバ２からアップロードされたデジタルコンテンツの中からスポンサーに適したデジタルコンテンツを自動的に選択して暗号化を行って配信用暗号化デジタルコンテンツを生成するか、あるいはスポンサーが選択したデジタルコンテンツに暗号化を行って配信用暗号化デジタルコンテンツを生成する。
【００２１】
ネットワーク５と接続されたコンテンツ配信サーバ１３は、プレビュー用デジタルコンテンツをスポンサーサイトサーバ４に配信し、配信用暗号化デジタルコンテンツをユーザ端末装置３に配信し、さらに配信用暗号化デジタルコンテンツの再生に必要な復号化キーをユーザ端末装置３に配信する。
ユーザ情報管理サーバ１４は、復号化キーを生成する。また、ユーザ情報管理サーバ１４は、蓄積したユーザ情報をデータマイニングし、分析結果情報を生成して、この情報をスポンサーがネットワーク５経由で取り出せる環境を提供する。また、スポンサーサイトサーバ４は、スポンサーのＷｅｂサイトのデータを格納している。
【００２２】
以下、図１のウエブサイト誘導システムの動作を順に説明する。図２は図１のウエブサイト誘導システムの動作を説明するためのフローチャート図である。
最初に、コンテンツ処理サーバ１２は、配信用デジタルコンテンツとプレビュー用デジタルコンテンツとを生成する（図２ステップ１０１）。図３はこの配信用デジタルコンテンツの生成方法を説明するためのフローチャート図である。
【００２３】
コンテンツ処理サーバ１２は、コンテンツ提供サーバ２に対して、例えばＷＡＶ、ＭＰ３、ＡＶＩ、ＭＯＶ、ＡＳＦ等のファイル形式のデジタルコンテンツのアップロード環境を提供することにより、コンテンツ提供者を募集する。
この募集に応じてコンテンツ提供者は、提供されたアップロード環境を利用して、デジタルコンテンツをウエブサイト誘導装置１へアップロードし、有償配信を希望するデジタルコンテンツの登録を行う（図３ステップ２０１）。
【００２４】
すなわち、コンテンツ提供者がコンテンツ提供サーバ２に接続された端末装置（不図示）を操作して、ウエブサイト誘導システムの運営者（ウエブサイト誘導装置１の運営者）のＷｅｂサイトにアクセスすると、コンテンツ処理サーバ１２は、デジタルコンテンツを登録するためのＷｅｂページのファイルをコンテンツ配信サーバ１３及びネットワーク５を介してコンテンツ提供サーバ２へ送信する。これにより、コンテンツ提供者の端末装置の画面に運営者のＷｅｂページが表示される。
【００２５】
コンテンツ提供者は、表示されたＷｅｂページを見ながら、配信を希望するデジタルコンテンツの名称、デジタルコンテンツの分野を示す属性、デジタルコンテンツの有効期限、スポンサーのＷｅｂサイトの承認判断基準等のデジタルコンテンツ関連情報をコンテンツ毎に端末装置に入力し、入力後、前記デジタル関連情報に対応するデジタルコンテンツの送信を開始させる。こうして、音楽コンテンツや映像コンテンツ等のデジタルコンテンツとこれに対応するデジタルコンテンツ関連情報とがコンテンツ提供サーバ２からネットワーク５を介してウエブサイト誘導装置１へ送信される。
【００２６】
なお、デジタルコンテンツの分野については、例えばスポーツや演劇といった分野の例示がＷｅｂページ上で表示されており、コンテンツ提供者は、表示された例示の中から該当する分野を選択するようになっている。
また、スポンサーのＷｅｂサイトの承認判断基準とは、ユーザの誘導先となるＷｅｂサイトを指定する条件であり、ＨＴＭＬ（Hyper Text Markup Language）ページの総バイト数あるいはアンケートの項目数等がある。この承認条件は、提供するデジタルコンテンツに適しないスポンサーを拒否するために設定される。
【００２７】
例えば、スポンサーのＷｅｂサイトにおいて要求されるアンケートの量が膨大なものであれば、ユーザは、アンケートの回答を拒否することが考えられる。この場合、ユーザは、ウエブサイト誘導装置１から配信された配信用暗号化デジタルコンテンツを復号できないが、コンテンツ提供者にもコンテンツの代金が支払われなくなる。そこで、コンテンツ提供者は、スポンサーのＷｅｂサイトの承認判断基準を設定することで、自身にとって不適当なＷｅｂサイトを拒否することができるようになっている。
【００２８】
コンテンツ処理サーバ１２は、コンテンツ配信サーバ１３によって受信されたデジタルコンテンツとデジタルコンテンツ関連情報とを蓄積する。以上で、コンテンツ提供者からウエブサイト誘導システムの運営者（ウエブサイト誘導装置１の運営者）へのデジタルコンテンツの登録が終了する。
【００２９】
続いて、コンテンツ処理サーバ１２は、コンテンツ提供サーバ２から送られたデータを受信すると、受信したオリジナルコンテンツを所定のファイル形式にフォーマット変換した後、フォーマット変換したオリジナルコンテンツの例えば一部を切り出すことでプレビュー用デジタルコンテンツを生成する（ステップ２０２）。コンテンツ蓄積サーバ１１は、コンテンツ処理サーバ１２によって生成されたプレビュー用デジタルコンテンツを蓄積する。
【００３０】
次に、コンテンツ処理サーバ１２は、スポンサーサイトサーバ４に対して、ネットワーク５を介した登録済みデジタルコンテンツの選択環境を提供することにより、スポンサーを募集する。
この募集に興味を示したスポンサーは、スポンサーサイトサーバ４に接続された端末装置（不図示）を操作して、運営者のＷｅｂサイトにアクセスする。
【００３１】
スポンサーが運営者のＷｅｂサイトにアクセスすると（ステップ２０３においてＹＥＳ）、コンテンツ処理サーバ１２は、デジタルコンテンツを選択するためのＷｅｂページのファイルをコンテンツ配信サーバ１３及びネットワーク５を介してスポンサーサイトサーバ４へ送信する。これにより、スポンサーの端末装置の画面に運営者のＷｅｂページが表示される（ステップ２０４）。
【００３２】
このＷｅｂページには、スポンサーが後援するデジタルコンテンツの選択をシステムの運営者に委ねる自動マッチングと、スポンサーがデジタルコンテンツを自主的に選択する手動マッチングのいずれか一方を選ぶよう促す選択メッセージが表示されている。
【００３３】
この選択メッセージに応じてスポンサーが端末装置を操作して自動マッチングを選択すると（ステップ２０５においてＹＥＳ）、コンテンツ処理サーバ１２は、ユーザの誘導先となるスポンサーのＷｅｂサイトのＵＲＬと、スポンサーがターゲットとするユーザと関連性があるデジタルコンテンツの分野を示す属性と、前述したＷｅｂサイトの承認判断基準とをスポンサーに入力するように促す入力メッセージをスポンサーサイトサーバ４へ送信する。
【００３４】
スポンサーは、Ｗｅｂページに表示された入力メッセージを見て、ＷｅｂサイトのＵＲＬとデジタルコンテンツの属性とＷｅｂサイトの承認判断基準とを端末装置に入力する（ステップ２０６）。これにより、スポンサーのＷｅｂサイトのＵＲＬとデジタルコンテンツの属性とＷｅｂサイトの承認判断基準とがスポンサーサイトサーバ４からネットワーク５を介してウエブサイト誘導装置１へ送信される。なお、このときも、例えばスポーツや演劇といった分野の例示がＷｅｂページ上で表示されるので、スポンサーは、表示された例示の中から該当する分野を選択するようになっている。
【００３５】
コンテンツ処理サーバ１２は、コンテンツ配信サーバ１３がスポンサーのＷｅｂサイトのＵＲＬとデジタルコンテンツの属性とＷｅｂサイトの承認判断基準とを受信すると、自動マッチングを開始する（ステップ２０７）。図４はこの自動マッチングの概念を説明するための図である。自動マッチング処理において、コンテンツ処理サーバ１２は、スポンサーサイトサーバ４から送信された属性を基に前記関連情報を検索して、属性が一致するコンテンツを登録済みのデジタルコンテンツ中から選択する。
【００３６】
例えば、「Ａ」という属性がスポンサーサイトサーバ４から送られてきたとき、コンテンツ処理サーバ１２は、同一の属性「Ａ」が関連情報として登録されているデジタルコンテンツを選択する。図４の例では、「車自慢」、「チューニング紹介」という名称のコンテンツが選択される。
【００３７】
なお、自動マッチングにあたっては、属性が同一であっても、Ｗｅｂサイトの承認判断基準が合致しないデジタルコンテンツは選択から除かれ、結果としてコンテンツ提供者が設定した条件に合致しないＷｅｂサイトは拒否される。
【００３８】
次に、コンテンツ処理サーバ１２は、選択したデジタルコンテンツの名称、属性、有効期限及び広告料等の情報をコンテンツ配信サーバ１３及びネットワーク５を介してスポンサーサイトサーバ４へ送信する。これにより、スポンサーの端末装置の画面に運営者によって選択されたデジタルコンテンツの情報が表示される（ステップ２０８）。
【００３９】
スポンサーは、Ｗｅｂページに表示されたデジタルコンテンツの情報を見て、運営者により選択されたデジタルコンテンツについて指定された広告料を支払うことを承認するメッセージを端末装置に入力する（ステップ２０９）。なお、このとき、Ｗｅｂページに表示されたデジタルコンテンツのうち、必要なものだけをスポンサーが選んで承認を与えるようにしてもよい。
【００４０】
コンテンツ処理サーバ１２は、スポンサーの承認が得られたフォーマット変換済みのオリジナルコンテンツを暗号化し、この暗号化したデジタルコンテンツにスポンサーが指定したＵＲＬを付加することで配信用暗号化デジタルコンテンツを生成する（ステップ２１０）。
【００４１】
そして、コンテンツ処理サーバ１２は、スポンサーの承認が得られたデジタルコンテンツの提供者（コンテンツ提供サーバ２）に対して、スポンサーが決定したことを通知する（ステップ２１１）。この通知により、コンテンツ提供者は、自身が提供者したデジタルコンテンツのスポンサーを知ることができる。
以上で、自動マッチングによる配信用暗号化デジタルコンテンツの生成処理が終了する。
【００４２】
図５は手動マッチングの概念を説明するための図である。選択メッセージに応じてスポンサーが端末装置を操作して手動マッチングを選択すると（ステップ２０５においてＮＯ）、コンテンツ処理サーバ１２は、Ｗｅｂサイトの承認判断基準を要求するメッセージをコンテンツ配信サーバ１３及びネットワーク５を介してスポンサーサイトサーバ４へ送信する（ステップ２１２）。このメッセージに応じて、スポンサーは、自身のＷｅｂサイトの承認判断基準を端末装置に入力する。
【００４３】
Ｗｅｂサイトの承認判断基準をスポンサーサイトサーバ４から受け取ったコンテンツ処理サーバ１２は、登録済みの各デジタルコンテンツに対応する前記関連情報のうちデジタルコンテンツの名称、属性及び有効期限と、各デジタルコンテンツ広告料とからなる登録済みデジタルコンテンツの一覧情報をコンテンツ配信サーバ１３及びネットワーク５を介してスポンサーサイトサーバ４へ送信する。これにより、スポンサーの端末装置の画面に登録済みのデジタルコンテンツの一覧が表示される（ステップ２１３）。
【００４４】
なお、手動マッチングにあたっては、登録済みであっても、Ｗｅｂサイトの承認判断基準が合致しないデジタルコンテンツは上記一覧から除かれ、結果としてコンテンツ提供者が設定した条件に合致しないＷｅｂサイトは拒否される。
【００４５】
スポンサーは、表示されたデジタルコンテンツの一覧を見て、興味があるデジタルコンテンツのプレビューを要求するメッセージを端末装置に入力する。
コンテンツ処理サーバ１２は、スポンサーからのプレビュー要求があると（ステップ２１４においてＹＥＳ）、プレビューを要求されたコンテンツに対応するプレビュー用デジタルコンテンツをコンテンツ蓄積サーバ１１から取り出して、コンテンツ配信サーバ１３及びネットワーク５を介してスポンサーサイトサーバ４へ送信する（ステップ２１５）。これにより、スポンサーは、端末装置でプレビュー用デジタルコンテンツを見たり、聴いたりすることができる。なお、このプレビューは、ダウンロードかストリーミングかを選択可能である。
【００４６】
スポンサーは、プレビュー用デジタルコンテンツを視聴した結果、自身のＷｅｂサイトに適したコンテンツであると判断すれば、このデジタルコンテンツについて指定された広告料を支払うことを承認するメッセージを端末装置に入力する（ステップ２１６）。
【００４７】
コンテンツ処理サーバ１２は、スポンサーの承認が得られたフォーマット変換済みのオリジナルコンテンツを暗号化し、この暗号化したデジタルコンテンツにスポンサーが指定したＵＲＬを付加することで配信用暗号化デジタルコンテンツを生成する（ステップ２１７）。
【００４８】
そして、コンテンツ処理サーバ１２は、スポンサーの承認が得られたデジタルコンテンツの提供者に対して、スポンサーが決定したことを通知する（ステップ２１８）。以上で、手動マッチングによる配信用暗号化デジタルコンテンツの生成処理が終了する。
【００４９】
次に、コンテンツ蓄積サーバ１１は、コンテンツ処理サーバ１２によって生成された配信用暗号化デジタルコンテンツを蓄積する（図２ステップ１０２）。
コンテンツ配信サーバ１３は、ユーザ端末装置３に対してネットワーク５を介した配信用暗号化デジタルコンテンツのダウンロード環境を提供する。
【００５０】
すなわち、ユーザがユーザ端末装置３を操作して、運営者のＷｅｂサイトにアクセスすると、コンテンツ配信サーバ１３は、ユーザが所望のデジタルコンテンツを選択するためのＷｅｂページのファイルをネットワーク５を介してユーザ端末装置３へ送信する。これにより、ユーザ端末装置３の画面に運営者のＷｅｂページが表示される。
【００５１】
ユーザは、表示されたＷｅｂページを見て、配信を希望するデジタルコンテンツをＷｅｂページ上で選択する。
コンテンツ配信サーバ１３は、ユーザからの配信要求があると（ステップ１０３においてＹＥＳ）、要求されたコンテンツに該当する配信用暗号化デジタルコンテンツをコンテンツ蓄積サーバ１１に要求して、コンテンツ蓄積サーバ１１から受け取った配信用暗号化デジタルコンテンツをネットワーク５を介してユーザ端末装置３へ送信する（ステップ１０４）。ユーザ端末装置３は、受信した配信用暗号化デジタルコンテンツを蓄積する。
【００５２】
次に、ユーザ端末装置３は、ダウンロードした配信用暗号化デジタルコンテンツの再生要求がユーザから発せられると（ステップ１０５においてＹＥＳ）、配信用暗号化デジタルコンテンツの復号に必要な復号化キーを有していないため、所定のプログラムに従って、配信用暗号化デジタルコンテンツに付加されているＵＲＬを基にスポンサーのＷｅｂサイトへのアクセスを行う（ステップ１０６）。こうして、ユーザ端末装置３の画面には、スポンサーのサイトのＷｅｂページが表示される。
【００５３】
このとき、スポンサーのＷｅｂサイトへのアクセスに伴って、スポンサーサイトサーバ４には、ユーザ端末装置３のＯＳレジストリ内に格納されている、端末装置３に固有の端末情報が送られる。これにより、スポンサーサイトサーバ４（スポンサー）は、Ｗｅｂサイトにアクセスしているユーザ端末装置３（ユーザ）を識別することができる。
【００５４】
ユーザは、ユーザ端末装置３の画面に表示されたＷｅｂページを見て、スポンサーのＷｅｂサイトに予め設定されている条件（例えばアンケートの回答など）に応じてユーザ端末装置３の操作を行う。
ユーザが要求された設定条件を満たすと（ステップ１０７においてＹＥＳ）、スポンサーサイトサーバ４は、図６に示すように、ユーザが設定条件を満たしたことをコンテンツ配信サーバ１３に通知する。この通知には前記端末情報が含まれている。
【００５５】
コンテンツ配信サーバ１３は、スポンサーサイトサーバ４からの通知を受けると、前記端末情報によって識別したユーザの復号化キーを生成するようユーザ情報管理サーバ１４に対して要求する。
ユーザ情報管理サーバ１４は、あらかじめユーザの情報を登録、蓄積しており、この情報に含まれる前記端末情報を基に暗号用の秘密鍵を暗号化して復号化キーを生成し、この復号化キーをコンテンツ配信サーバ１３へ返送する。
【００５６】
コンテンツ配信サーバ１３は、ユーザ情報管理サーバ１４から受け取った復号化キーをネットワーク５を介してユーザ端末装置３へ送信する（ステップ１０８）。ユーザ端末装置３は、ウエブサイト誘導装置１から受け取った復号化キーを自動的に登録する。
【００５７】
続いて、ユーザ端末装置３は、この復号化キーを自装置の端末情報を用いて復号して秘密鍵を取得し、蓄積している配信用暗号化デジタルコンテンツを秘密鍵を用いて復号して、デジタルコンテンツの再生を開始する（ステップ１０９）。こうして、ユーザは、配信されたデジタルコンテンツを視聴することができる。
【００５８】
なお、ユーザ情報管理サーバ１４は、復号化キーを生成する際に、コンテンツ提供者によって指定された有効期限（年月日等）を復号化キーに設定する。したがって、ユーザ端末装置３は、復号化キーの有効期限内であれば、ユーザからの再生要求がある度に、配信用暗号化デジタルコンテンツを復号して再生するが、復号化キーの有効期限が切れている場合には、再生を拒否する。
【００５９】
次に、スポンサーは、運営者に対してスポンサーのＷｅｂサイトの結果情報を要求することができる。スポンサーは、自身のＷｅｂサイトにおいて入力要求し、これに応じてユーザが入力した情報を自身が運営するスポンサーサイトサーバ４に蓄積する場合と、ウエブサイト誘導装置１のユーザ情報管理サーバ１４に蓄積を依頼する場合のいずれか一方をあらかじめ選択することができる。
【００６０】
スポンサーは、Ｗｅｂサイトにおいてユーザが入力した情報を自身のスポンサーサイトサーバ４に蓄積している場合には、自身が後援しているデジタルコンテンツの利用状況等の情報を前記結果情報として運営者に要求することができる。また、スポンサーは、Ｗｅｂサイトにおいてユーザが入力した情報の蓄積を運営者に依頼している場合には、ユーザが入力した情報とデジタルコンテンツの利用状況等の情報を前記結果情報として運営者に要求することができる。
【００６１】
ユーザ情報管理サーバ１４は、スポンサーサイトサーバ４からの情報要求があると（ステップ１１０においてＹＥＳ）、要求された結果情報をコンテンツ配信サーバ１３及びネットワーク５を介してスポンサーサイトサーバ４へ送信する（ステップ１１１）。このとき、ユーザ情報管理サーバ１４は、結果情報をＳＳＬ（Secure Sockets Layer）などの安全な通信手法で返送する。
【００６２】
以上のように、本発明では、ユーザがネットワーク５を介してダウンロードした配信用暗号化デジタルコンテンツを初めて再生すると、強制的に誘導先のＷｅｂサイトにアクセスさせ、このＷｅｂサイトでユーザが広告情報の閲覧やアンケート回答など特定の条件を満たせば、復号化キーがネットワーク５を介してユーザ端末装置３へ送信される。以後、ユーザは、復号化キーの有効期限が切れるまで、何度でもオフラインで配信用暗号化デジタルコンテンツを視聴することが可能となる。
【００６３】
また、配信用暗号化デジタルコンテンツの再生に必要な復号化キーの生成時に、ユーザ端末装置３に固有の端末情報を用いることにより、配信用暗号化デジタルコンテンツが第３者に不正に配布されたとしても、第３者は自端末装置の端末情報を用いた復号化キーを取得しない限り、配信用暗号化デジタルコンテンツを復号して再生することができず、結果として配信用暗号化デジタルコンテンツを再生しようとすると、正規のユーザと同様にＷｅｂサイトへ誘導され、Ｗｅｂサイトにおける特定の条件を満たす操作を強制される。
【００６４】
したがって、本発明では、近年デジタルコンテンツ流通業界において問題となっているメール添付や事業者を介さないユーザ同士のコンテンツファイル交換ソフトを用いたコンテンツの不正配布を、広告効果拡大に寄与する仕組みに転換することが可能となる。なお、コンテンツ配信サーバ１３は、端末情報によってユーザを識別できるので、不正なユーザによるデジタルコンテンツの利用を拒否するために、復号化キーの生成・送信を拒否することもできる。
【００６５】
また、本発明では、配信用暗号化デジタルコンテンツを生成する際に、スポンサーが指定した属性と同一の属性を有するデジタルコンテンツを自動的に選択する自動マッチング機能により、スポンサーはデジタルコンテンツの選択をシステムの運営者に委託することができ、ターゲットを絞った効果的な広告効果が期待できる。これにより、例えばスポンサーが自動車メーカであれば、登録済みのデジタルコンテンツの中から自動車の映像コンテンツを自動的に選択するといった自動マッチングが実現できる。
【００６６】
また、スポンサーにプレビュー用デジタルコンテンツを送信し、スポンサーがプレビュー用デジタルコンテンツを視聴して、適切であると判断したデジタルコンテンツを選択する手動マッチング機能により、スポンサーはターゲットを絞り込んだより効率的かつ確実なマーケティングを行うことが可能となる。
【００６７】
本発明によれば、ユーザは、図７に示すように、広告の閲覧やアンケート回答等を行う代わりに、無料でデジタルコンテンツを視聴することができる。
コンテンツ提供者は、自身のコンテンツを無料で公表する場を提供され、さらにユーザの人気に応じた報酬を得ることもできる。
【００６８】
スポンサーは、広告の費用対効果を確実に得ることができ、かつＷｅｂサイトにおいてユーザが入力した情報や、デジタルコンテンツの利用状況等の情報を得ることができる。
そして、システムの運営者は、スポンサーからの広告料とコンテンツ提供者への報酬との差額を得ることができ、さらに回線や端末商品の販売につなげることもできる。
【００６９】
［実施の形態の２］
図８は本発明の第２の実施の形態となるウエブサイト誘導システムの構成を示すブロック図であり、図１と同様の構成には同一の符号を付してある。以下、本実施の形態のウエブサイト誘導システムの動作を順に説明する。図９は図８のウエブサイト誘導システムの動作を説明するためのフローチャート図である。
【００７０】
最初に、ウエブサイト誘導装置１のコンテンツ処理サーバ１２は、コンテンツ提供サーバ２に対して、例えばＷＡＶ、ＭＰ３、ＡＶＩ、ＭＯＶ、ＡＳＦ等のファイル形式のデジタルコンテンツのアップロード環境を提供することにより、コンテンツ提供者を募集する。この募集に応じてコンテンツ提供者は、ウエブサイト誘導システムの運営者（ウエブサイト誘導装置１の運営者）のＷｅｂサイトにアクセスし（図９ステップ３０１においてＹＥＳ）、提供されたアップロード環境を利用して、デジタルコンテンツをウエブサイト誘導装置１へアップロードし、有償配信を希望するデジタルコンテンツの登録を行う（ステップ３０２）。
【００７１】
すなわち、コンテンツ提供者が提供者端末装置６を操作して、ウエブサイト誘導システムの運営者のＷｅｂサイトにアクセスすると、コンテンツ処理サーバ１２は、デジタルコンテンツを登録するためのＷｅｂページのファイルをコンテンツ配信サーバ１３及びネットワーク５を介してコンテンツ提供サーバ２へ送信する。これにより、提供者端末装置６の画面に運営者のＷｅｂページが表示される。
【００７２】
コンテンツ提供者は、表示されたＷｅｂページを見ながら、提供者端末装置６を操作して、ユーザに配信する配信用デジタルコンテンツのファイル名、この配信用デジタルコンテンツの配信方式（ダウンロード又はストリーミング）、配信用デジタルコンテンツの見本（サンプル版）となるプレビュー用デジタルコンテンツのファイル名、このプレビュー用デジタルコンテンツの配信方式、配信用デジタルコンテンツが動画の場合の見本となるサムネイル静止画のファイル名、配信用デジタルコンテンツのカテゴリ（動画、静止画、音楽等）、デジタルコンテンツのジャンル（例えば映画やドラマ等）、スポンサーに対する条件、ユーザ１人あたりのコンテンツ料金、コンテンツを後援する権利（以下、後援権とする）を付与可能なスポンサーの最大人数であるスポンサー数、デジタルコンテンツのタイトル、デジタルコンテンツの作成者名、作成者の連絡先（ＵＲＬ等）、デジタルコンテンツの著作権者名、コンテンツ検索のためのキーワードなどのコンテンツ関連情報を入力する。前記スポンサーに対する条件は、前述の承認判断基準と同様のものである。
【００７３】
コンテンツ関連情報の入力後、コンテンツ提供者は、オリジナルコンテンツの送信を開始させる。こうして、オリジナルコンテンツがコンテンツ提供サーバ２からネットワーク５を介してウエブサイト誘導装置１へ送信されると共に、このオリジナルコンテンツに対応するコンテンツ関連情報が提供者端末装置６からコンテンツ提供サーバ２及びネットワーク５を介してウエブサイト誘導装置１へ送信される（ステップ３０２）。
【００７４】
コンテンツ処理サーバ１２は、コンテンツ提供サーバ２から送られたデータを受信すると、受信したオリジナルコンテンツを所定のファイル形式にフォーマット変換した後、フォーマット変換したオリジナルコンテンツから配信用デジタルコンテンツを生成すると共に、オリジナルコンテンツの例えば一部を切り出すことでプレビュー用デジタルコンテンツを生成する。また、コンテンツ処理サーバ１２は、オリジナルコンテンツが動画の場合、オリジナルコンテンツからサムネイル静止画を抽出する。配信用デジタルコンテンツ、プレビュー用デジタルコンテンツ、サムネイル静止画の３種類のコンテンツをオリジナルコンテンツから生成するための各生成条件は、例えばコンテンツ提供者によって指定される。
【００７５】
そして、コンテンツ処理サーバ１２は、生成した配信用デジタルコンテンツ、プレビュー用デジタルコンテンツ及びサムネイル静止画と、コンテンツ関連情報とをコンテンツ蓄積サーバ１１に送る。コンテンツ蓄積サーバ１１は、受信した配信用デジタルコンテンツ、プレビュー用デジタルコンテンツ及びサムネイル静止画を蓄積すると共に、受信したコンテンツ関連情報をコンテンツデータベース（以下、コンテンツＤＢとする）に登録する（ステップ３０３）。
【００７６】
図１０はコンテンツＤＢの構造を示す図である。コンテンツＤＢには、前記コンテンツ関連情報と共に、デジタルコンテンツの識別番号（以下、コンテンツＩＤとする）とコンテンツ提供者の識別番号（以下、提供者ＩＤとする）とが登録される。これらの情報は、コンテンツの登録時に記録される。
【００７７】
また、コンテンツＤＢには、プレビュー用デジタルコンテンツがスポンサー又はユーザによって視聴された回数であるアクセス数、配信用デジタルコンテンツがユーザによってダウンロードされた回数であるダウンロード数、プレビュー用デジタルコンテンツあるいは配信用デジタルコンテンツにアクセスしたユーザのユーザＩＤ、プレビュー用デジタルコンテンツを視聴したユーザが電子掲示板（Bulletin Board System 、以下、ＢＢＳとする）に書き込んだ内容、配信用デジタルコンテンツを視聴したユーザがＢＢＳに書き込んだ内容が登録される。これらの情報は、後述のように、ユーザからのアクセス、ＢＢＳへの書き込みに応じて随時記録される。
【００７８】
さらに、コンテンツＤＢには、コンテンツの後援権に対する入札情報と誘導先指定情報が登録される。これらについては後述する。図１０に示すようなコンテンツＤＢのレコードがコンテンツ毎に生成される。以上で、コンテンツの登録が終了する。以下、登録が終了したデジタルコンテンツを登録コンテンツと呼ぶ。
【００７９】
次に、コンテンツ配信サーバ１３は、ユーザ端末装置３に対してネットワーク５を介したデジタルコンテンツのダウンロード環境を提供する。ウエブサイト誘導システムに登録されていないユーザがユーザ端末装置３を操作して、運営者のＷｅｂサイトにアクセスすると（図９ステップ３０４，３０５においてＹＥＳ）、コンテンツ配信サーバ１３は、ユーザ登録処理を行う（ステップ３０６）。図１１はユーザ登録処理を説明するための図である。
【００８０】
図１１において、「＜」，「＞」は処理の方向を示す。例えばステップ４０１では、コンテンツ配信サーバ１３からユーザ端末装置３の方向に処理が行われることを示す。ユーザ登録処理において、コンテンツ配信サーバ１３は、ユーザ登録画面を生成して、生成したユーザ登録画面をネットワーク５を介してアクセス元のユーザ端末装置３に送信する（図１１ステップ４０１）。ユーザ登録画面は、ユーザ情報管理サーバ１４に格納されたユーザデータベース（以下、ユーザＤＢとする）の設定に基づいて生成される。
【００８１】
図１２はユーザＤＢの構造を示す図である。ユーザＤＢには、ウエブサイト誘導システムに登録された各ユーザに固有の識別番号（以下、ユーザＩＤとする）、電子メールアドレス、性別、年齢層、居住地域が登録される。さらに、ユーザＤＢには、ユーザの好きなジャンルが登録され、各ジャンル毎にユーザが過去にダウンロードしたデジタルコンテンツのコンテンツＩＤが登録される。図１２に示すようなユーザＤＢのレコードがユーザ毎に生成される。
【００８２】
コンテンツ配信サーバ１３は、予め定められたユーザＤＢのレコードの構造に従って、新規のユーザに各登録項目（電子メールアドレス、性別、年齢層、居住地域）の入力を促すユーザ登録画面を生成する。ユーザがユーザ端末装置３の画面に表示されたユーザ登録画面を見て、各登録項目の情報を入力すると、入力されたユーザ情報はユーザ端末装置３からネットワーク５を介してウエブサイト誘導装置１へ送信される（ステップ４０２）。
【００８３】
コンテンツ配信サーバ１３は、受信したユーザ情報をユーザ情報管理サーバ１４へ転送し、ユーザ情報管理サーバ１４は、受信したユーザ情報をユーザＤＢの新規レコードに格納する（ステップ４０３）。そして、コンテンツ配信サーバ１３は、ユーザＤＢに新規登録されたユーザのユーザＩＤに応じて、このユーザＩＤに対応するクッキー（Cookie）情報を生成し、生成したクッキー情報をアクセス元のユーザ端末装置３に送信する。ユーザ端末装置３は、受信したクッキー情報を保存する（ステップ４０４）。以上で、ユーザ登録処理が終了する。
【００８４】
次に、コンテンツ配信サーバ１３は、スポンサー端末装置７に対して登録コンテンツの選択環境を提供することにより、スポンサーを募集する。すなわち、スポンサー（ここでは、スポンサーＡとする）がスポンサー端末装置７を操作して、運営者のＷｅｂサイトにアクセスしたとき（図９ステップ３０７においてＹＥＳ）、コンテンツ配信サーバ１３は、クッキー情報やスポンサーの識別番号（以下、スポンサーＩＤとする）によりスポンサーからのアクセスであると判断した場合、スポンサー決定処理を行う（ステップ３０８）。図１３、図１４はスポンサー決定処理を説明するための図である。
【００８５】
スポンサー決定処理において、コンテンツ配信サーバ１３は、スポンサー向けに図１５に示すようなスポンサー待ちコンテンツ一覧画面を生成して、生成したスポンサー待ちコンテンツ一覧画面をネットワーク５を介してアクセス元のスポンサー端末装置７に送信する（図１３ステップ５０１）。スポンサー待ちコンテンツ一覧画面は、コンテンツ蓄積サーバ１１に格納されたコンテンツＤＢに基づいて生成される。
【００８６】
ステップ５０１において、コンテンツ配信サーバ１３は、スポンサー待ちコンテンツ一覧画面を生成する際、配信用コンテンツのファイル名、作成者名、著作権者名等のコンテンツ関連情報を登録コンテンツ毎にコンテンツＤＢから取得して、取得したコンテンツ関連情報をスポンサー待ちコンテンツ一覧画面の対応するコンテンツの箇所に表示する。また、登録コンテンツが動画の場合には、対応するサムネイル静止画をコンテンツ関連情報と共に表示する。
【００８７】
さらに、コンテンツ配信サーバ１３は、スポンサーがプレビュー用デジタルコンテンツの視聴を要求するための「プレビュー」というボタンと、スポンサーが後援するコンテンツを決定するための「スポンサーする」というボタンを各登録コンテンツ毎に表示する。こうして、図１５に示すように、各コンテンツ毎にコンテンツ関連情報とサムネイル静止画が付記されたスポンサー待ちコンテンツ一覧画面が表示される。
【００８８】
スポンサーＡは、スポンサー端末装置７の画面に表示されたスポンサー待ちコンテンツ一覧画面を見て、あるコンテンツに興味をもった場合、スポンサー端末装置７を操作して、該当コンテンツの「プレビュー」と表示された箇所をクリックする。これにより、該当コンテンツのコンテンツＩＤを含むプレビュー要求がスポンサー端末装置７からコンテンツ配信サーバ１３へ送信される（ステップ５０２）。
【００８９】
コンテンツ配信サーバ１３は、スポンサーからのプレビュー要求を受信すると、要求されたコンテンツに対応するプレビュー用デジタルコンテンツの送信をコンテンツ蓄積サーバ１１に要求する（ステップ５０３）。コンテンツ蓄積サーバ１１は、要求されたプレビュー用デジタルコンテンツをコンテンツ配信サーバ１３に送信し（ステップ５０４）、コンテンツ配信サーバ１３は、受信したプレビュー用デジタルコンテンツをアクセス元のスポンサー端末装置７に転送する（ステップ５０５）。こうして、スポンサーＡは、スポンサー端末装置７でプレビュー用デジタルコンテンツを見たり、聴いたりすることができる。
【００９０】
スポンサーＡは、プレビュー用デジタルコンテンツ及びサムネイル静止画の視聴結果と、スポンサー待ちコンテンツ一覧画面に表示されたコンテンツ関連情報とから、負担する費用に見合う宣伝効果が得られると判断した場合、スポンサー端末装置７を操作して、該当コンテンツの「スポンサーする」と表示された箇所をクリックする。これにより、該当コンテンツの後援権を要求する後援権取得要求がスポンサー端末装置７からコンテンツ配信サーバ１３へ送信される（ステップ５０６）。
【００９１】
後援権取得要求を受信したコンテンツ配信サーバ１３は、コンテンツの後援権に対する入札情報と誘導先指定情報の入力をスポンサーに促す入札情報登録画面を生成して、生成した入札情報登録画面をネットワーク５を介してアクセス元のスポンサー端末装置７に送信する（ステップ５０７）。コンテンツの後援権に対する入札情報としては、スポンサーが指定したＷｅｂサイトに１人のユーザが誘導されたときスポンサーが支払う金額と、総予算と、ユーザの誘導先となるＷｅｂサイトの総バイト数などがある。また、誘導先指定情報としては、誘導先Ｗｅｂサイト（本実施の形態ではスポンサーが指定したＷｅｂサイト）のＵＲＬがある。
【００９２】
ステップ５０７において入札情報登録画面を生成する際、コンテンツ配信サーバ１３は、後援権取得要求に含まれるコンテンツＩＤを基にコンテンツＤＢの該当コンテンツのレコードを検索して、コンテンツ提供者が設定したスポンサー条件及びユーザ１人あたりのコンテンツ料金をコンテンツＤＢから取得すると共に、このレコードに該当コンテンツの後援権取得オークションに入札中の他のスポンサーが登録されている場合には、この他のスポンサーの入札情報をコンテンツＤＢから取得して、取得したスポンサー条件、ユーザ１人あたりのコンテンツ料金及び入札情報を入札情報登録画面中に表示する。
【００９３】
スポンサーＡは、スポンサー端末装置７に表示された入札情報登録画面を見て、コンテンツ提供者から提示されたスポンサー条件及びユーザ１人あたりのコンテンツ料金を基に自身の入札情報を決定するが、このとき他のスポンサーの入札情報が表示されている場合には、後援権を獲得すべく他のスポンサーよりも優位な入札情報を決定して、決定した入札情報と誘導先指定情報とをスポンサー端末装置７に入力する。入札情報と誘導先指定情報は、スポンサー端末装置７からコンテンツ配信サーバ１３へ送信される（ステップ５０８）。なお、誘導先指定情報は、ユーザの属性別（例えば性別や年齢別）に入力することが可能である。
【００９４】
コンテンツ配信サーバ１３は、入札情報と誘導先指定情報とを受信すると、これらの情報をコンテンツ蓄積サーバ１１に送信する。コンテンツ蓄積サーバ１１は、スポンサーが後援権を要求したコンテンツに対応するコンテンツＤＢのレコードに、受信したスポンサーＡの入札情報と誘導先指定情報とを記録してコンテンツＤＢを更新する（ステップ５０９）。コンテンツ蓄積サーバ１１は、後援権取得要求に含まれるコンテンツＩＤを基にコンテンツＤＢの該当コンテンツのレコードを検索することができる。
【００９５】
コンテンツＤＢの更新後、コンテンツ配信サーバ１３は、入札情報登録画面を更新する（ステップ５１０）。すなわち、コンテンツ配信サーバ１３は、コンテンツＤＢの更新後のレコードから該当コンテンツの後援権取得オークションに入札中の全スポンサーの入札情報を取得して、取得した入札情報を入札情報登録画面中に表示する。こうして、既に入札中の他のスポンサーに加えて、スポンサーＡの入札情報が入札情報登録画面に表示され、スポンサーＡは、後援権取得オークションに入札したことになる。
【００９６】
続いて、コンテンツ蓄積サーバ１１は、コンテンツＤＢに記録されたスポンサーの入札情報及び誘導先指定情報に更新・追加があったことをコンテンツ提供者に通知するようコンテンツ配信サーバ１３に依頼する（ステップ５１１）。コンテンツ配信サーバ１３は、コンテンツ蓄積サーバ１１から通知された更新内容（更新・追加されたスポンサーＡの入札情報及び誘導先指定情報）を提供者端末装置６に送信して、新しいスポンサーが名乗り出たことをコンテンツ提供者に通知する（ステップ５１２）。
【００９７】
通知を受けたコンテンツ提供者は、提供者端末装置６を操作して運営者のＷｅｂサイトにアクセスし、入札情報登録画面を呼び出して、自身が提供したコンテンツの後援権取得オークションに入札中の全スポンサーの入札情報及び誘導先指定情報を確認する（ステップ５１３）。
【００９８】
後援権取得オークションには所定の期限（例えば３日間）がコンテンツ提供者によって予め定められており、この期限が切れるまでは、後援権取得オークションに新たなスポンサーが入札したり、既に入札中のスポンサーが後援権を獲得すべく入札情報を変更したりすることが可能であり、ステップ５０７〜５１３の処理が随時繰り返される。
【００９９】
後援権取得オークションの期限が切れた後、コンテンツ提供者は、入札情報登録画面に表示された各スポンサーの入札情報を判断材料にして、コンテンツの後援権を付与するスポンサーを自身が設定したスポンサー数の人数内で選択する。これにより、選択されたスポンサーのＩＤを含む後援決定情報が提供者端末装置６からコンテンツ配信サーバ１３に送信される（ステップ５１４）。
【０１００】
コンテンツ配信サーバ１３は、受信した後援決定情報をコンテンツ蓄積サーバ１１に転送することで、スポンサーが決定されたことをコンテンツ蓄積サーバ１１に通知する（ステップ５１５）。続いて、コンテンツ配信サーバ１３は、後援権が付与されたスポンサーの端末装置７に後援決定情報と鍵発行要求スクリプトとを送信することで、スポンサーに所望のコンテンツの後援権が付与されたことを通知する（ステップ５１６）。鍵発行要求スクリプトは、ユーザが誘導先Ｗｅｂサイトに設定された条件を満たしたときユーザ端末装置３で実行されるべきものである。
【０１０１】
そして、コンテンツ蓄積サーバ１１は、スポンサーが決定したコンテンツに対応するコンテンツＤＢのレコード中の、前記スポンサーＩＤに対応するスポンサーの入札情報及び誘導先指定情報に後援権付与を示す情報を付加して、コンテンツＤＢを更新する（ステップ５１７）。
【０１０２】
以上で、スポンサー決定処理が終了する。上記の説明では、後援権取得オークションの期限が切れたときに、スポンサーを決定しているが、コンテンツ提供者は、期限内の任意の時点でスポンサーを決定してもよい。この場合、決定したスポンサーの人数がコンテンツ提供者によって設定されたスポンサー数に達していなければ、後援権取得オークションの期限内である限り、ステップ５０７〜５１４の後援権取得オークションが引き続き行われる。したがって、後援権を獲得できなかったスポンサーであっても、後援権取得オークションの期限内であれば、後援権を獲得すべく新しい入札情報を提示することで後援権取得オークションに参加することができる。
【０１０３】
また、スポンサーは、入札情報で設定した総予算の範囲内でコンテンツを後援することができる。つまり、コンテンツ配信サーバ１３は、後援権が付与されたスポンサーの人数がコンテンツ提供者によって設定されたスポンサー数に達した場合でも、スポンサーが設定した総予算が消費されると、このスポンサーへの後援権付与を解除する。例えば、スポンサーが設定した総予算が１００００円で、このスポンサーのサイトに１人のユーザが誘導されたときスポンサーが１００円支払うとすれば、１００人のユーザをスポンサーサイトへ誘導した時点で総予算が消費される。
【０１０４】
後援権付与が解除されてスポンサーに欠員が生じた時点が後援権取得オークションの期限内でれば、コンテンツ配信サーバ１３は、後援権取得オークションを再び開始する。
以上のように、本実施の形態では、複数のスポンサーに後援権を与えることができる。人気のあるコンテンツの場合、後援を希望するスポンサーが複数現れる可能性があるので、コンテンツ提供者は、各スポンサーの入札情報を判断材料にして、後援を許可してもよいスポンサーを複数選択することができる。
【０１０５】
次に、コンテンツ蓄積サーバ１１は、スポンサー決定処理で少なくとも１人のスポンサーが決定した配信用デジタルコンテンツをコンテンツ処理サーバ１２に送ってコンテンツの暗号化を依頼する。コンテンツ処理サーバ１２は、受信した配信用デジタルコンテンツを暗号化し、この暗号化したコンテンツに所定のアクセス先指定情報を付加することで配信用暗号化デジタルコンテンツを生成する。コンテンツ蓄積サーバ１１は、コンテンツ処理サーバ１２によって生成された配信用暗号化デジタルコンテンツを蓄積し、このコンテンツが暗号化されたことを示す情報をコンテンツＤＢの対応するレコードに記録する（図９ステップ３０９）。
【０１０６】
実施の形態の１では、前記アクセス先指定情報に相当するものとして、スポンサーのＷｅｂサイトのＵＲＬを用いており、配信用暗号化デジタルコンテンツを再生しようとするユーザをスポンサーのＷｅｂサイトへ直接誘導している。これに対して、本実施の形態では、誘導先スポンサーサイトを選定する選定手段（選定プログラム）へのアクセスをユーザに行わせた後、選定手段で選定した誘導先スポンサーサイトにユーザを誘導するようにしている。このため、本実施の形態では、アクセス先指定情報として、選定手段のＵＲＬを用いている。なお、選定手段の格納場所は、ウエブサイト誘導装置１内であればどこでもよいが、本実施の形態ではコンテンツ蓄積サーバ１１内に設けている。
【０１０７】
次に、コンテンツ配信サーバ１３は、ユーザ端末装置３に対してネットワーク５を介した配信用暗号化デジタルコンテンツのダウンロード環境を提供する。すなわち、登録ユーザがユーザ端末装置３を操作して運営者のＷｅｂサイトにアクセスし、コンテンツの配信を要求すると（ステップ３１０においてＹＥＳ）、コンテンツ配信サーバ１３は、ダウンロード処理を行う（ステップ３１１）。図１６はダウンロード処理を説明するための図である。
【０１０８】
ダウンロード処理において、コンテンツ配信サーバ１３は、図１７に示すような配信用コンテンツ一覧画面を生成して、生成した配信用コンテンツ一覧画面をアクセス元のユーザ端末装置３に送信する（図１６ステップ６０１）。このときの配信用コンテンツ一覧画面も、前述のスポンサー待ちコンテンツ一覧画面と同様に、コンテンツＤＢの情報に基づいて生成されるが、スポンサー待ちコンテンツ一覧画面と異なるのは、登録ユーザがコンテンツをダウンロードするための「ダウンロード」というボタンが画面中に埋め込まれていることである。こうして、図１７に示すような配信用コンテンツ一覧画面がユーザ端末装置３に表示される。
【０１０９】
次に、ユーザは、ユーザ端末装置３を操作して、所望のコンテンツを検索するためにキーワードやジャンル等の検索条件を入力する。この検索条件はユーザ端末装置３からコンテンツ配信サーバ１３へ送信される（ステップ６０２）。コンテンツ配信サーバ１３は、コンテンツＤＢを検索し、受信した検索条件と一致する条件が登録されたコンテンツのみを集めて配信用コンテンツ一覧画面を作成し直し、作成した検索後の配信用コンテンツ一覧画面をアクセス元のユーザ端末装置３へ送信する（ステップ６０３）。
【０１１０】
ユーザは、ユーザ端末装置３に表示された検索後の配信用コンテンツ一覧画面を見て、あるコンテンツに興味をもった場合、ユーザ端末装置３を操作して、配信用コンテンツ一覧画面上の該当コンテンツの「ダウンロード」と表示された箇所をクリックする。これにより、該当コンテンツのコンテンツＩＤを含む配信要求がユーザ端末装置３からコンテンツ配信サーバ１３へ送信される（ステップ６０４）。
【０１１１】
コンテンツ配信サーバ１３は、ユーザからの配信要求を受信すると、要求されたコンテンツに対応する配信用暗号化デジタルコンテンツをコンテンツ蓄積サーバ１１に要求し（ステップ６０５）、コンテンツ蓄積サーバ１１は、要求された配信用暗号化デジタルコンテンツを返送する（ステップ６０６）。そして、コンテンツ配信サーバ１３は、コンテンツ蓄積サーバ１１から受け取った配信用暗号化デジタルコンテンツをネットワーク５を介してユーザ端末装置３へ送信する。ユーザ端末装置３は、受信した配信用暗号化デジタルコンテンツを蓄積する（ステップ６０７）。
【０１１２】
コンテンツ配信サーバ１３は、ユーザからの配信要求の発生に伴って、配信要求を発したユーザのダウンロード履歴を記録させるべく、ユーザ情報管理サーバ１４にダウンロード情報を送信する。ユーザ情報管理サーバ１４は、受信したダウンロード情報に基づいて、ユーザＤＢの該当ユーザのレコードに配信要求されたコンテンツのコンテンツＩＤを記録する（ステップ６０８）。ステップ３１０のアクセスにおいて、ユーザ端末装置３からはクッキー情報が送信される。したがって、ユーザ情報管理サーバ１４は、クッキー情報に対応するユーザＩＤを取得することができるので、このユーザＩＤを基にユーザＤＢの該当ユーザのレコードを検索することができる。
【０１１３】
続いて、コンテンツ配信サーバ１３は、ユーザからの配信要求の発生に伴って、配信要求されたコンテンツのダウンロード数を１増加させ、かつ配信要求を発したユーザのユーザＩＤをアクセス者ＩＤとして記録させるべく、コンテンツ蓄積サーバ１１にダウンロード情報を送信する。コンテンツ蓄積サーバ１１は、受信したダウンロード情報に基づいて、コンテンツＤＢの該当コンテンツのレコードに記録されたダウンロード数を１増加させると共に、このレコードに、配信要求を発したユーザのユーザＩＤを記録する（ステップ６０９）。ユーザ端末装置３からはコンテンツＩＤを含む配信要求が送信されるので、コンテンツ蓄積サーバ１１は、このコンテンツＩＤを基にコンテンツＤＢの該当コンテンツのレコードを検索することができる。以上で、ダウンロード処理が終了する。
【０１１４】
次に、ユーザ端末装置３は、ダウンロードした配信用暗号化デジタルコンテンツの再生要求がユーザから発せられると（ステップ３１２においてＹＥＳ）、配信用暗号化デジタルコンテンツの復号に必要な復号化キーを有していないため、配信用暗号化デジタルコンテンツに付加されているアクセス先指定情報を基にコンテンツ蓄積サーバ１１の選定手段にアクセスして、再生要求されたコンテンツのコンテンツＩＤ及び自装置に固有の端末情報と共に復号化キー要求を選定手段に送信し、同時に前記クッキー情報を選定手段に送信する（ステップ３１３）。
【０１１５】
コンテンツ蓄積サーバ１１の選定手段は、ユーザ端末装置３からの復号化キー要求に応じて起動し、このユーザ端末装置の誘導先を選定する選定処理を行う（ステップ３１４）。図１８は選定処理を説明するための図である。
まず、コンテンツ蓄積サーバ１１の選定手段は、ユーザ端末装置３から受信したクッキー情報をユーザ情報管理サーバ１４に送信する（図１８ステップ７０１）。
【０１１６】
ユーザ情報管理サーバ１４は、クッキー情報に対応するユーザＩＤを基にユーザＤＢを検索し、復号化キー要求を発したユーザの情報をユーザＤＢから取得してコンテンツ蓄積サーバ１１に送る（ステップ７０２）。続いて、コンテンツ蓄積サーバ１１の選定手段は、ユーザ端末装置３から受信したコンテンツＩＤを基にコンテンツＤＢを検索し、再生要求されたコンテンツに設定された誘導先指定情報のうち、後援権が付与されたスポンサーが設定した誘導先指定情報をコンテンツＤＢから取得する（ステップ７０３）。
【０１１７】
次に、コンテンツ蓄積サーバ１１の選定手段は、ユーザ情報管理サーバ１４から受信したユーザ情報とコンテンツＤＢから取得した誘導先指定情報とを照らし合わせて、再生要求を発したユーザに最適な誘導先スポンサーサイトを決定して、アクセス元のユーザ端末装置３に通知する（ステップ７０４）。前述のように、誘導先指定情報は、ユーザの属性別に設定することが可能である。一方、ユーザ情報管理サーバ１４から受信したユーザ情報には、再生要求を発したユーザの属性（性別、年齢層、居住地域など）が含まれる。
【０１１８】
例えば、男性というユーザ属性に対応して「http://www.com/male.htm 」、女性というユーザ属性に対応して「http://www.com/female.htm 」という誘導先指定情報がコンテンツＤＢに設定されていて、再生要求を発したユーザの属性が男性であった場合、コンテンツ蓄積サーバ１１の選定手段は、「http://www.com/male.htm 」という誘導先指定情報を選定する。また、男性というユーザ属性に対応して「http://www.com/male.htm 」、東京の２０代の女性というユーザ属性に対応して「http://www.com/female.htm 」という誘導先指定情報がコンテンツＤＢに設定されていて、再生要求を発したユーザの属性が女性であった場合、選定手段は、「http://www.com/female.htm 」という誘導先指定情報を選定する。
【０１１９】
つまり、コンテンツ蓄積サーバ１１の選定手段は、再生要求を発したユーザの属性に対応する誘導先指定情報を選定することで、誘導先スポンサーサイトを選定し、選定した誘導先指定情報をユーザ端末装置３に送信する。以上で、選定処理が終了する。
【０１２０】
なお、前記再生要求されたコンテンツを後援するスポンサーが複数存在する場合、コンテンツ蓄積サーバ１１の選定手段は、ユーザ１人あたりのスポンサーの支払い額に比例して、ユーザを各スポンサーに振り分ける。例えば、スポンサーＡがユーザ１人あたり１００円支払い、スポンサーＢが６０円支払うとすれば、スポンサーＡの誘導先指定情報を用いる割合を１０、スポンサーＢの誘導先指定情報を用いる割合を６として、ユーザの振り分けを行えばよい。
【０１２１】
次に、ユーザ端末装置３は、受信した誘導先指定情報を基に誘導先スポンサーサイトへのアクセスを行う（図９ステップ３１５）。誘導先スポンサーサイトを格納しているスポンサーサイトサーバ４は、ユーザ端末装置３からのアクセスに応じて、復号化キー発行処理を行う（ステップ３１６）。図１９は復号化キー発行処理を説明するための図である。
【０１２２】
復号化キー発行処理において、スポンサーサイトサーバ４は、前述の鍵発行要求スクリプトを含むＷｅｂページのファイルをアクセス元のユーザ端末装置３に送信する。これにより、ユーザ端末装置３の画面にスポンサーサイトのＷｅｂページが表示される（図１９ステップ８０１）。
【０１２３】
ユーザは、ユーザ端末装置３の画面に表示されたスポンサーサイトのＷｅｂページを見て、スポンサーサイトに予め設定されている条件（例えばアンケートの回答など）に応じてユーザ端末装置３の操作を行う。この操作に応じて、ユーザ端末装置３は、Ｗｅｂページのファイルに含まれる鍵発行要求スクリプトを実行し、ユーザが入力したアンケート内容等の結果をスポンサーサイトサーバ４に送信する（ステップ８０２）。スポンサーサイトサーバ４は、受信した結果を自身のデータベースに格納する。
【０１２４】
予め設定した条件をユーザが満たしたと判断すると、スポンサーサイトサーバ４は、ユーザＩＤを含む発行要求をウエブサイト誘導装置１に送信する（ステップ８０３）。なお、ステップ３１５においてユーザ端末装置３からクッキー情報が送信されるので、スポンサーサイトサーバ４は、このクッキー情報に対応するユーザＩＤを取得することができる。
【０１２５】
コンテンツ配信サーバ１３は、スポンサーサイトサーバ４から発行要求を受信すると、再生要求を発したユーザ用の復号化キーを生成するようユーザ情報管理サーバ１４に要求する。ユーザ情報管理サーバ１４は、ステップ３１３においてユーザ端末装置３から送信された端末情報を基に、暗号用の秘密鍵を暗号化して復号化キーを生成し、この復号化キーをコンテンツ配信サーバ１３へ返送する。コンテンツ配信サーバ１３は、ユーザ情報管理サーバ１４から受け取った復号化キーを再生要求を発したユーザ端末装置３に送信する（ステップ８０４）。以上で、復号化キー発行処理が終了する。
【０１２６】
ユーザ端末装置３は、ウエブサイト誘導装置１から受信した復号化キーを自装置の端末情報を用いて復号して秘密鍵を取得し、蓄積している配信用暗号化デジタルコンテンツを取得した秘密鍵を用いて復号して、デジタルコンテンツの再生を開始する（ステップ３１７）。こうして、ユーザは、配信されたデジタルコンテンツを視聴することができる。
【０１２７】
なお、ステップ３０９で配信用暗号化デジタルコンテンツを生成する際、配信用デジタルコンテンツを全てを暗号化しなくてもよい。例えば、配信用デジタルコンテンツの先頭から所定時間分のデータを暗号化せずに平文のままとし、残りのデータを暗号化して、暗号化したデータの先頭にアクセス先指定情報を付加し、前記平文とアクセス先指定情報と暗号化データとからなる配信用暗号化デジタルコンテンツを生成すれば、配信用暗号化デジタルコンテンツの先頭部分は暗号化されていないので、ユーザは、復号化キーを取得していなくても、コンテンツの先頭部分をユーザ端末装置３で再生することができる。こうして、復号化キーの発行前にコンテンツの一部再生を認めることもできる。
【０１２８】
また、実施の形態の１では、ユーザ端末装置３は、復号化キーの有効期限が切れている場合、配信用暗号化デジタルコンテンツの再生を拒否するが、復号化キーの再取得をユーザに促すようにしてもよい。すなわち、ユーザ端末装置３は、ユーザから再生要求があって、かつ復号化キーの有効期限が切れている場合、配信用暗号化デジタルコンテンツの再生中止あるいは復号化キーの再取得をユーザに選択させる画面を表示し、ユーザが復号化キーの再取得を選択した場合には、ステップ１０６（実施の形態の１）、ステップ３１３（実施の形態の２）の処理を再び実行する。
【０１２９】
また、実施の形態の１，２では、ネットワーク５を介して配信用暗号化デジタルコンテンツをユーザ端末装置３に配信しているが、コンテンツ処理サーバ１２で生成した配信用暗号化デジタルコンテンツをフロッピィディスク、ＣＤ−ＲＯＭ、メモリカード等の記録媒体に記録して、この記録媒体をユーザに配布するようにしてもよい。さらに、配信用暗号化デジタルコンテンツが一度ユーザに配布されれば、以降はユーザ間で自由に配布するようにしてもよい。
【０１３０】
また、実施の形態の１，２では、ユーザの誘導先Ｗｅｂサイトをユーザが指定したＷｅｂサイトとしているが、これに限るものではなく、例えばコンテンツ提供者が指定したサイトでもよい。この場合、コンテンツ提供者は、自身が指定したＷｅｂサイトにユーザを誘導して、このＷｅｂサイトで広告宣伝活動を行う代わりに、コンテンツを無料で提供する。
また、実施の形態の２では、選定手段が選定する誘導先指定情報を１つにしているが、複数の誘導先指定情報を選定させるようにしてもよい。この場合には、ユーザ端末装置３を複数のＷｅｂサイトに連続的にアクセスさせ、各Ｗｅｂサイトに設定された条件をユーザが順次満たしていき、ユーザが各Ｗｅｂサイトに設定された条件を全て満たした場合のみ、ウエブサイト誘導装置１から復号化キーがユーザ端末装置３に送信されるようになる。
また、実施の形態の１に記載した技術と実施の形態の２に記載した技術を適宜組み合わせて実施してもよいことは言うまでもない。
【０１３１】
【発明の効果】
本発明によれば、コンテンツ提供者から提供されたデジタルコンテンツを暗号化し、暗号化したデジタルコンテンツに所定のウエブサイトを指定するアクセス先指定情報を付加して配信用暗号化デジタルコンテンツを生成し、この配信用暗号化デジタルコンテンツを希望するユーザ端末装置にネットワーク又は記録媒体によって配信し、この配信用暗号化デジタルコンテンツの復号に必要な復号化キーがユーザ端末装置にない場合は、ウエブサイトを指定する情報を基にユーザ端末装置からネットワークを介してウエブサイトへアクセスし、ウエブサイトに予め設定されている条件をユーザが満たしたとき、復号化キーを生成してユーザ端末装置へ送信するようにしたことにより、ユーザを例えばスポンサーやコンテンツ提供者が指定した所定のウエブサイトへ確実に誘導することができ、かつユーザがウエブサイトにおいて予め設定された条件を満たした場合のみ、配布したデジタルコンテンツの視聴を許可することができる。その結果、スポンサーやコンテンツ提供者は広告の費用対効果を確実に得ることができる。
【０１３２】
また、ウエブサイトを指定する誘導先指定情報とスポンサーがウエブサイトへの誘導を望むユーザの属性とを対応付けして予め設定し、コンテンツ提供者から提供されたデジタルコンテンツを暗号化し、暗号化したデジタルコンテンツに所定の選定手段を指定するアクセス先指定情報を付加して配信用暗号化デジタルコンテンツを生成し、この配信用暗号化デジタルコンテンツを希望するユーザ端末装置にネットワーク又は記録媒体によって配信し、この配信用暗号化デジタルコンテンツの復号に必要な復号化キーがユーザ端末装置にない場合は、アクセス先指定情報を基にユーザ端末装置からネットワークを介して選定手段へアクセスし、選定手段においてアクセス元のユーザの属性に対応する誘導先指定情報を予め設定された誘導先指定情報の中から選定し、選定された誘導先指定情報を基にユーザ端末装置からネットワークを介してウエブサイトへアクセスし、このアクセス先のウエブサイトに予め設定されている条件をユーザが満たしたとき、復号化キーを生成してネットワークを介してユーザ端末装置へ送信するようにしたことにより、ユーザを例えばスポンサーやコンテンツ提供者が指定した所定のウエブサイトへ確実に誘導することができ、かつユーザがウエブサイトにおいて予め設定された条件を満たした場合のみ、配布したデジタルコンテンツの視聴を許可することができる。その結果、スポンサーやコンテンツ提供者は広告の費用対効果を確実に得ることができる。また、ユーザの属性に応じて誘導先のウエブサイト（誘導先指定情報）を適切なものに変えるワントゥワン（OneToOne）広告配信が可能となる。
【０１３３】
また、復号化キーに有効期限を設定することにより、コンテンツ提供者によって指定された有効期限の間だけ、デジタルコンテンツの視聴をユーザに許可することができる。
【０１３４】
また、復号化キーの有効期限が切れている場合に、アクセス処理又は第１のアクセス処理の再実行をユーザに促すことにより、ユーザにとってはウエブサイトで設定された条件を満たせば、デジタルコンテンツを再び視聴することができ、スポンサーやコンテンツ提供者にとってはウエブサイトによる再度の宣伝広告活動を行うことができる。
【０１３５】
また、復号化キーの生成にユーザ端末装置に固有の端末情報を用いることにより、デジタルコンテンツの不正配布を、広告効果拡大に寄与する仕組みに転換することが可能となる。
【０１３６】
また、スポンサーが指定した属性と同一の属性を有するコンテンツをコンテンツ提供者から提供されたデジタルコンテンツの中から選択して配信用暗号化デジタルコンテンツを生成することにより、スポンサーはデジタルコンテンツの選択をシステムの運営者に委託することができる。また、ターゲットを絞った効果的な広告効果を期待することができる。
【０１３７】
また、プレビュー用デジタルコンテンツをスポンサーの端末装置へ送信し、このプレビュー用デジタルコンテンツを視聴したスポンサーによって選択されたデジタルコンテンツから配信用暗号化デジタルコンテンツを生成することにより、スポンサーはターゲットを絞り込んだより効率的かつ確実なマーケティングを行うことが可能となる。
【０１３８】
また、コンテンツ提供者によって指定された承認判断基準に合致しないスポンサーによるデジタルコンテンツの後援を拒否することにより、コンテンツ提供者は、自身が提供するデジタルコンテンツに合わないスポンサーを拒否することができる。
【０１３９】
また、コンテンツ生成処理の前に、コンテンツの後援権に対する入札情報をスポンサーから受け付け、入札情報を基に後援権を付与するスポンサーを決定するスポンサー決定処理を実行することにより、コンテンツ提供者はより高額の入札情報を提示したスポンサーに後援権を付与することができる。
【０１４０】
また、１つの配信用暗号化デジタルコンテンツについて後援権が付与されたスポンサーが複数存在する場合、各スポンサーを選定する割合を各スポンサーが提示した入札情報に応じて決定し、選定したスポンサーによって予め設定された誘導先情報の中からアクセス元のユーザの属性に対応する誘導先指定情報を選定するようにしたことにより、１つの配信用暗号化デジタルコンテンツについて複数のスポンサーに後援権を付与することができ、各スポンサーが提示した入札情報の金額に応じてユーザを各スポンサーのウエブサイトに振り分けることができる。
【０１４１】
また、ユーザをウエブサイトへ誘導する代価としてスポンサーが支払う金額の累積が入札情報で設定された総予算に達したとき、このスポンサーへの後援権付与を解除して、スポンサー決定処理を再実行することにより、誘導先ウエブサイトの自動切り換えが可能となる。
【０１４２】
また、提供されたデジタルコンテンツの先頭から所定部までのデータを暗号化せずに、残りのデータを暗号化して、先頭から所定部までのデータと暗号化したデータとの間にアクセス先指定情報を付加したデータを配信用暗号化デジタルコンテンツとすることにより、復号化キー発行前にユーザにデジタルコンテンツの一部再生を許すことができる。
【図面の簡単な説明】
【図１】  本発明の第１の実施の形態となるウエブサイト誘導システムの構成を示すブロック図である。
【図２】  図１のウエブサイト誘導システムの動作を説明するためのフローチャート図である。
【図３】  本発明の第１の実施の形態における配信用デジタルコンテンツの生成方法を説明するためのフローチャート図である。
【図４】  配信用デジタルコンテンツの生成処理における自動マッチングの概念を説明するための図である。
【図５】  配信用デジタルコンテンツの生成処理における手動マッチングの概念を説明するための図である。
【図６】  本発明の第１の実施の形態における復号化キーの取得処理を示す説明図である。
【図７】  本発明によりユーザ、コンテンツ提供者、スポンサー及びシステム運営者のそれぞれが得る利益を説明するための説明図である。
【図８】  本発明の第２の実施の形態となるウエブサイト誘導システムの構成を示すブロック図である。
【図９】  図８のウエブサイト誘導システムの動作を説明するためのフローチャート図である。
【図１０】  コンテンツ蓄積サーバのコンテンツデータベースの構造を示す図である。
【図１１】  本発明の第２の実施の形態におけるユーザ登録処理を説明するための図である。
【図１２】  ユーザ情報管理サーバのユーザデータベースの構造を示す図である。
【図１３】  本発明の第２の実施の形態におけるスポンサー決定処理を説明するための図である。
【図１４】  本発明の第２の実施の形態におけるスポンサー決定処理を説明するための図である。
【図１５】  本発明の第２の実施の形態におけるスポンサー待ちコンテンツ一覧画面の１例を示す図である。
【図１６】  本発明の第２の実施の形態におけるダウンロード処理を説明するための図である。
【図１７】  本発明の第２の実施の形態における配信用コンテンツ一覧画面の１例を示す図である。
【図１８】  本発明の第２の実施の形態における選定処理を説明するための図である。
【図１９】  本発明の第２の実施の形態における復号化キー発行処理を説明するための図である。
【図２０】  従来のバナー広告タイプのシステムの構成を示すブロック図である。
【符号の説明】
１…ウエブサイト誘導装置、２…コンテンツ提供サーバ、３…ユーザ端末装置、４…スポンサーサイトサーバ、５…ネットワーク、６…提供者端末装置、７…スポンサー端末装置、１１…コンテンツ蓄積サーバ、１２…コンテンツ処理サーバ、１３…コンテンツ配信サーバ、１４…ユーザ情報管理サーバ。
【図１】
0004173956.tif 000002
【図２】
0004173956.tif 000003
【図３】
0004173956.tif 000004
【図４】
0004173956.tif 000005
【図５】
0004173956.tif 000006
【図６】
0004173956.tif 000007
【図７】
0004173956.tif 000008
【図８】
0004173956.tif 000009
【図９】
0004173956.tif 000010
【図１０】
0004173956.tif 000011
【図１１】
0004173956.tif 000012
【図１２】
0004173956.tif 000013
【図１３】
0004173956.tif 000014
【図１４】
0004173956.tif 000015
【図１５】
0004173956.tif 000016
【図１６】
0004173956.tif 000017
【図１７】
0004173956.tif 000018
【図１８】
0004173956.tif 000019
【図１９】
0004173956.tif 000020
【図２０】
0004173956.tif 000021